(57)【特許請求の範囲】
【請求項１】
側端面から入射した光を平面方向に出射する導光板と、
照明光源として前記側端面に入射可能に配置される複数の発光素子と、
前記導光板の一方の平面を覆い前記入射した光を他方の平面側に反射する反射板と、
前記導光板、前記発光素子および前記反射板を収容可能な空間を形成し前記他方の面から出射される照明光を外部に照射可能な窓部を有する筐体と、を備え、
前記筐体は、
前記窓部を形成するとともに両端が開放されるカバー胴部と、カバー胴部の開放端を塞ぎかつ前記導光板の一の辺方向に沿って前記反射板の裏面から前記導光板と前記反射板の両端部をそれぞれ前記窓部方向に押圧する第１の押圧部を備える一対のカバー端部と、を有するカバー部、および、
前記カバー部とともに前記空間を形成し前記反射板の裏面から前記導光板の他の辺方向に沿って前記導光板を前記反射板とともに前記窓部方向に押圧する第２の押圧部を有する本体部、を備え、
前記カバー端部には、前記第２の押圧部が侵入可能な隙間部が形成されていることを特徴とする灯具。
【請求項２】
前記導光板は、長手方向と短手方向を有する長尺形状に形成されており、
前記一の辺方向は前記短手方向で、前記他の辺方向は前記長手方向であり、
前記複数の発光素子は、前記長手方向の側端面に入射可能に配置され、
前記第１の押圧部は、前記導光板の短手方向に沿って前記導光板と前記反射板の両端部を押圧し、前記第２の押圧部は、前記導光板の長手方向に沿って前記導光板を前記反射板とともに押圧することを特徴とする請求項１に記載の灯具。
【請求項３】
前記カバー端部は、前記発光素子の発光部端と前記導光板の側端面との離隔間隔を設定する隙間設定部を備えることを特徴とする請求項１または２に記載の灯具。
【請求項４】
前記カバー端部は、弾性部材を介して前記反射板および前記導光板のそれぞれの端部を押圧することを特徴とする請求項１〜３のいずれか一項に記載の灯具。
【請求項５】
前記隙間部は、前記第２の押圧部が前記カバー端部による押圧範囲を超えて前記導光板を前記窓部方向に押圧可能な深さに形成されていることを特徴とする請求項４に記載の灯具。
【請求項６】
前記カバー端部と前記カバー胴部との間には、遮光材が介在していることを特徴とする請求項１〜５のいずれか一項に記載の灯具。
【請求項７】
前記側端面から入射した光は、前記平面方向に加え、この側端面を除く前記導光板の１つ以上の他の側端面からも出射するとともに、
前記筐体は、前記他の側端面から出射される照明光を外部に照射可能な他の窓部を有することを特徴とする請求項１〜６のいずれか一項に記載の灯具。
【請求項８】
前記複数の発光素子は、前記側端面を除く前記導光板の１つ以上の他の側端面にも照明光源として入射可能に配置されることを特徴とする請求項１〜６のいずれか一項に記載の灯具。
【発明の詳細な説明】
【技術分野】
【０００１】
本発明は、導光板の側端面に照明光源を配置する灯具に関するものである。
【背景技術】
【０００２】
導光板の側端面に照明光源を配置する灯具として、例えば、下記特許文献１に開示されるエッジライト式照明装置がある。この照明装置は、住宅等の天井に取り付けられるシーリング灯や壁に取り付けられるブラケット灯等に用いられるもので、ほぼ矩形状の導光板の周囲にＬＥＤ光源が配置されている。
【先行技術文献】
【特許文献】
【０００３】
【特許文献１】特開２０１１−１５９４３６号公報
【発明の概要】
【発明が解決しようとする課題】
【０００４】
このような照明装置を、鉄道や自動車、あるいは航空機、船舶等の移動体の室内の天井や壁に取り付けた場合には、室内空間自体が移動をすることからそれに伴う振動や衝撃が頻繁に加わり得る。そのため、天災等を除いて外部から振動等が加わることがあまり想定されていない住宅用の照明装置においては、例えば、導光板の厚さ方向における導光板と照明光源との位置がずれたり、ネジの緩みによりネジ締結されている部分に隙間ができたりする。また、振動等やネジの緩みによって導光板に撓みや歪みが生じた場合には、導光板と照明光源との位置のずれがさらに大きくなる。特に、導光板が長尺形状に形成されているときには、このような撓みや歪みは生じやすい。
【０００５】
導光板の厚さ方向における導光板の側端面と照明光源との位置のずれは、導光板に入射する光の方向や量の変動に直結することから、照明装置として本来の明るさが得られ難くなったり、発光面に明るさのムラができたりする。ネジの緩みによる筐体の隙間は、照明光の漏れに繋がり、また導光板の撓みや歪みは、側端面における照明光源との位置ずれをさらに増加させる。このため、住宅用の照明装置を移動体の室内照明に用いるには、このような技術的な課題を解決する必要があり、単なる転用は容易ではない。
【０００６】
本発明は、上述した課題を解決するためになされたもので、移動体の室内照明に適した灯具を提供することを目的とする。
【課題を解決するための手段】
【０００７】
上記目的を達成するため、特許請求の範囲の請求項１に記載された灯具は、側端面から入射した光を平面方向に出射する導光板と、照明光源として前記側端面に入射可能に配置される複数の発光素子と、前記導光板の一方の平面を覆い前記入射した光を他方の平面側に反射する反射板と、前記導光板、前記発光素子および前記反射板を収容可能な空間を形成し前記他方の面から出射される照明光を外部に照射可能な窓部を有する筐体と、を備え、前記筐体は、前記窓部を形成するとともに両端が開放されるカバー胴部と、カバー胴部の開放端を塞ぎかつ前記導光板の一の辺方向に沿って前記反射板の裏面から前記導光板と前記反射板の両端部をそれぞれ前記窓部方向に押圧する第１の押圧部を備える一対のカバー端部と、を有するカバー部、および、前記カバー部とともに前記空間を形成し前記反射板の裏面から前記導光板の他の辺方向に沿って前記導光板を前記反射板とともに前記窓部方向に押圧する第２の押圧部を有する本体部、を備え、前記カバー端部には、前記第２の押圧部が侵入可能な隙間部が形成されていることを特徴とする。
【０００８】
請求項１に記載の灯具の発明では、導光板、複数の発光素子、反射板およびこれらを収容可能な筐体を備える。この筐体は、カバー胴部の開放端を塞ぎかつ導光板の一の辺方向に沿って反射板の裏面から導光板と反射板の両端部をそれぞれ窓部方向に押圧する第１の押圧部を一対のカバー端部に備え、反射板の裏面から導光板の他の辺方向に沿って導光板を反射板とともに窓部方向に押圧する第２の押圧部を本体部に備える。このため、導光板および反射板の一の辺方向の端部は第１の押圧部により、また他の辺方向の端部は第２の押圧部により、それぞれ窓部方向に向けて押圧されることから、外部から振動や衝撃が加わったとしても、導光板がその厚さ方向に位置が移動したり撓んだりし難い。これにより、導光板の側端面と照明光源との位置にずれが生じ難くなるため、耐振動性を向上させることが可能となる。また、カバー端部の隙間部に第２の押圧部が侵入できることから、導光板のうちカバー端部によって覆われる範囲についても、第２の押圧部により押圧される。このため、第２の押圧部による押圧範囲が拡がるため、さらに耐振動性を向上させることが可能となる。
【０００９】
特許請求の範囲の請求項２に記載された灯具は、請求項１に記載された灯具において、前記導光板は、長手方向と短手方向を有する長尺形状に形成されており、前記一の辺方向は前記短手方向で、前記他の辺方向は前記長手方向であり、前記複数の発光素子は、前記長手方向の側端面に入射可能に配置され、前記第１の押圧部は、前記導光板の短手方向に沿って前記導光板と前記反射板の両端部を押圧し、前記第２の押圧部は、前記導光板の長手方向に沿って前記導光板を前記反射板とともに押圧することを特徴とする。
【００１０】
請求項２に記載の灯具の発明では、導光板は、長手方向と短手方向を有する長尺形状であり、その短手方向の端部は第１の押圧部により、また長手方向の端部は第２の押圧部により、それぞれ窓部方向に向けて押圧される。このため、導光板が、一般に、撓みやすい長尺形状であっても、導光板の長手方向の側端面と、それに入射可能に配置される複数の発光素子との位置にずれが生じ難くなるため、耐振動性を向上させることが可能となる。
【００１１】
特許請求の範囲の請求項３に記載された灯具は、請求項１または２に記載の灯具において、前記カバー端部は、前記発光素子の発光部端と前記導光板の側端面との離隔間隔を設定する隙間設定部を備えることを特徴とする。
【００１２】
請求項３に記載の灯具の発明では、発光素子の発光部端と導光板の側端面との離隔間隔が隙間設定部により設定されて固定されることから、導光板の厚さ方向に加えて、発光素子との離隔間隔についても位置ずれが生じ難くなる。これにより、耐振動性をさらに向上させることが可能となる。
【００１３】
特許請求の範囲の請求項４に記載された灯具は、請求項１〜３のいずれか一項に記載の灯具において、前記カバー端部は、弾性部材を介して前記反射板および前記導光板のそれぞれの端部を押圧することを特徴とする。
【００１４】
請求項４に記載の灯具の発明では、導光板の端部は、弾性部材を介してカバー端部に押圧されることから、第１の押圧部材および第２の押圧部材の押圧方向の寸法誤差や、導光板の厚さ方向の寸法誤差を吸収することが可能となる。
【００１５】
（削除）
【００１６】
（削除）
【００１７】
特許請求の範囲の請求項５に記載された灯具は、請求項４に記載の灯具において、前記隙間部は、前記第２の押圧部が前記カバー端部による押圧範囲を超えて前記導光板を前記窓部方向に押圧可能な深さに形成されていることを特徴とする。
【００１８】
請求項５に記載の灯具の発明では、カバー端部の隙間部に浸入した第２の押圧部はカバー端部による押圧範囲を超えて導光板を押圧することから、導光板は、第１の押圧部により押圧された後に第２の押圧部により押圧される。導光板の段階的な押圧が可能となる。
【００１９】
特許請求の範囲の請求項６に記載された灯具は、請求項１〜５のいずれか一項に記載の灯具において、前記カバー端部と前記カバー胴部との間には、遮光材が介在していることを特徴とする。
【００２０】
請求項６に記載の灯具の発明では、カバー端部とカバー胴部との間には遮光材が介在することから、これらの間に隙間が生じたとしても、このような隙間から照明光が漏れることを防ぐことが可能となる。
【００２１】
特許請求の範囲の請求項７に記載された灯具は、請求項１〜６のいずれか一項に記載の灯具において、前記側端面から入射した光は、前記平面方向に加え、この側端面を除く前記導光板の１つ以上の他の側端面からも出射するとともに、前記筐体は、前記他の側端面から出射される照明光を外部に照射可能な他の窓部を有することを特徴とする。
【００２２】
請求項７に記載の灯具の発明では、導光板の１つ以上の他の側端面からも照明光が出射することから、他方の平面側に開口する窓部に加え、この窓部とは異なる位置に開口する他の窓部からも照明光が出射する。これにより、例えば、このような他の窓部から出射する照明光を間接照明に用いることが可能となる。
【００２３】
特許請求の範囲の請求項８に記載された灯具は、請求項１〜６のいずれか一項に記載の灯具において、前記複数の発光素子は、前記側端面を除く前記導光板の１つ以上の他の側端面にも照明光源として入射可能に配置されることを特徴とする。
【００２４】
請求項８に記載の灯具の発明では、他の側端面からも複数の発光素子から光が入射することから、導光板には、複数の側端面から照明光源の光が入射する。これにより、導光板の平面方向から出射される照明光による明るさ、つまり当該灯具の明るさを、より明るくすることが可能となる。
【発明の効果】
【００２５】
本発明では、耐振動性が向上することから、移動体の室内照明に適した灯具を提供することができる。
【図面の簡単な説明】
【００２６】
【図１】本発明の実施形態に係る灯具の使用状態を示す外観図である。
【図２】本実施形態に係る灯具を分解した状態を示す分解図である。
【図３】灯具を構成する本体部を取付面から見た斜視図である。
【図４】図４(A)は、本体ケースを内側面から見た斜視図、図４(B)は、図４(A)に示す４Ｂ線矢視による断面図である。
【図５】図５(A)は、灯具を構成するカバーを内側から見た斜視図、図５(B)は、図５(A)に示す５Ｂ線矢視による断面図である。
【図６】カバーを分解した状態を示す分解図である。
【図７】サイドカバーを各方向から見た斜視図である。
【図８】サイドカバーに形成される爪部と導光板の長手側端面との位置関係等を示す説明図である。
【図９】図９(A)は、サイドカバーに形成され得る隙間についての説明図、図９(B)，(C)は、カバーを本体部に組み付ける前後の押圧状態を示す説明図である。
【図１０】本実施形態の他の例を示す説明図で、図１０(A)はサイドカバーにスリットを設けた例、図１０(B)はカバー本体の立ち上がり壁にスリットを設けた例、図１０(C)は、前記２つの例を適用した灯具の斜視図である。
【図１１】本実施形態の他の例として、ＬＥＤユニットを対向するように設けた例を示す説明図である。
【発明を実施するための形態】
【００２７】
以下、本発明の灯具の実施形態について図を参照して説明する。まず、図１を参照して灯具１の外観および使用状態を説明する。図１には、灯具１の使用状態を示す外観図が図示されている。
【００２８】
図１に示すように、灯具１は、例えば、鉄道や自動車あるいは航空機、船舶等といった移動体の室内の天井１００や図略の壁等に取り付けられて使用される。外観は、長尺の薄箱形状を成しており、幅広平面部の所定幅の枠状部分を除いた範囲に窓部２１ａが形成され、ここからグローブ２５を介して照明光が照射され得るように構成されている。なお、窓部２１ａの長手方向の両側近傍には、美観を考慮して、当該灯具１を天井１００に取り付ける取付ネジの存在を隠すキャップ２９が取り付けられている。
【００２９】
灯具１は、本体部１０、カバー２０および一対のサイドカバー３０から構成されている。なお、本体部１０は、天井１００等への取付面側、つまり窓部２１ａの裏側に位置するため、図１には表されていない。この灯具１は、天井１００から本体部１０に所定の交流電力が供給されて点灯するように、電源ユニットが内蔵されている。図２に灯具１を分解した状態を示す分解図が図示されているので、ここからは図２を参照しながら説明する。
【００３０】
図２に示すように、灯具１は、本体部１０と、カバー２０およびサイドカバー３０と、に分解することができる。この図では、紙面右側のサイドカバー３０が表されていないが、左側と同様のサイドカバー３０が右側にも存在しており、左右で一対を成している。まずは、本体部１０の構成を、図２および図３を参照しながら説明する。図３には、灯具１を構成する本体部１０を取付面から見た斜視図が図示されている。
【００３１】
本体部１０は、主に、本体ケース１１、電源ユニット１６や電源コード１８等から構成されている。本体ケース１１は、カバー本体２１とともに断面矩形状の筒体を構成可能に形成される断面コ字形状の長板状を成しており、その内側には電源ユニット１６が内装されている。本体ケース１１には、長手方向に延びる２本の押圧リブ１５が形成されており、これら押圧リブ１５の間にネジ１３ｃにより電源ユニット１６が組み付けられている。
【００３２】
電源ユニット１６は、交流電力を受電可能な受電コネクタ１６ａと、後述するＬＥＤユニットに駆動電力を供給可能な出力コネクタ１６ｂと、が設けられており、受電コネクタ１６ａから受電した交流電力を後述するＬＥＤユニットを駆動可能な直流電力に変換して出力コネクタ１６ｂに出力する電力コンバータ機能を備えている。受電コネクタ１６ａには、電源コード１８およびプラグ１９を介して天井１００から送られてくる交流電力を受電可能な電源線１８ａが接続されている。また、出力コネクタ１６ｂには、ＬＥＤユニットに駆動電力を出力可能な電源配線１６ｃが接続されている。なお、受電コネクタ１６ａの近傍には、電源コード１８（電源線１８ａ）をブッシュ１７を介して引き込み可能なコード穴１１ｆが本体ケース１１に形成されている。
【００３３】
本体ケース１１の長手方向両側には、貫通孔１１ｅにホルダー１２ａが組み付けられており、灯具１を天井１００に取り付けるための取付ネジ１２がこのホルダー１２ａに保持されている。また本体ケース１１には、ネジ１３ａによりカバー本体２１とのネジ締結を可能にするネジ溝が螺刻されたプレート１４が、ネジ１３ｂにより４箇所に組み付けられている。本体ケース１１には、プレート１４のネジ孔の位置に合わせて貫通孔１１ａが形成されている。このほか、図３に示されているように、本体ケース１１には、後述するサイドカバー３０のネジ部３５の部分を避ける切欠き部１１ｃや、カバー本体２１から本体ケース１１を取り外す際の引っ掛かり部を形成し得る切欠き部１１ｇ、さらには電源ユニット１６を組み付けるためのネジ１３ｃが固定される貫通孔１１ｄ等が形成されている。
【００３４】
ここで、本体ケース１１の構成を図４を参照して説明する。なお、図４には、本体部１０を内側面から見た斜視図やその断面図が図示されている。本体ケース１１は、前述したように、主に、内側面に電源ユニット１６を固定するためのものであるが、本実施形態では、断面Π字形状に２本の押圧リブ１５が内側面に形成されている（図４(B)参照）。
【００３５】
本体ケース１１は、例えば、アルミニウムからなる原材を押出成形によって図４(B)に示すような断面形状に形成されるもので、後述するＬＥＤユニットの長さに合わせて任意長に切断（両端部は開放端）されて加工される。本実施形態では、短手方向と長手方向の比率が約１：４に設定されているが、製品仕様によってはこれより長いもの（同比率が約１：５〜約１：１０等）や、短いもの（同比率が約１：２等）もある。また、短手方向と長手方向が同じ長さの正方形状に設定される場合もある。
【００３６】
図４(B)に示すように、押圧リブ１５ａ，１５ｂは、本体ケース１１の短手方向両端のＬ字部分の立ち下がり壁の長さよりも大きく突出するとともに、その先端部の形状が断面Ｌ字形状をなすように形成されている。この押圧リブ１５ａ，１５ｂの先端部は、後述するように、反射板２７に当接することによって、押圧リブ１５ａ，１５ｂが反射板２７を介して導光板２６をカバー本体２１の窓部２１ａ方向に押圧可能にするためのものである。そのため、反射板２７との接触面を所定面積以上確保することが可能であれば、例えば、Ｔ字やＹ字等の断面形状でも良い。本実施形態では、対峙する２本の押圧リブ１５ａ，１５ｂが互いに対向側にＬ字の先端を向けている。以下、「反射板２７を介して導光板２６が押圧される（を押圧する）」旨を、「反射板２７を介して」を省略して、単に「導光板２６が押圧される（を押圧する）」等と記載する。
【００３７】
押圧リブ１５ａ，１５ｂの高さは、導光板２６を押圧する押圧力と、押圧後の導光板２６の位置とによって設定されている。即ち、押圧リブ１５ａ，１５ｂの高さが高すぎる場合には、予定の範囲を超えて導光板２６が押圧リブ１５ａ，１５ｂにより過剰に加圧されるため、導光板２６やグローブ２５等が破損するおそれがあり、また高さが低すぎる場合には、導光板２６に対する加圧力が予定圧よりも不足するか、または加圧されないため、外部から加わる振動等によって導光板２６等が厚さ方向にガタついて移動する可能性がある。
【００３８】
このように長手方向に延びる２本の押圧リブ１５ａ，１５ｂを形成することによって、導光板２６を長手方向に適度に押圧することができることに加え、本体ケース１１の長手方向の強度を高めることが可能となる。また、本実施形態では、押圧リブ１５ｂと本体ケース１１のＬ字部分の立ち下がり壁との間αの本体ケース１１の肉厚を、それ以外の、押圧リブ１５ａ，１５ｂが形成される短手方向の内側範囲βの肉厚よりも厚くすることで、長手方向の強度をさらに高めている。なお、押圧リブ１５ａ，１５ｂの間の内側範囲βについては、灯具１の厚さを薄くするため、肉厚が薄く設定されている。
【００３９】
次に、カバー２０およびサイドカバー３０の構成を図２、図５〜図７に基づいて説明する。図５には、灯具１を構成するカバー２０を内側から見た斜視図やその断面図が図示されている。図６には、カバー２０を分解した状態を示す分解図、図７には、サイドカバー３０を各方向から見た斜視図が図示されている。
【００４０】
カバー２０は、主に、カバー本体２１、ＬＥＤユニット２３、グローブ２５、導光板２６や反射板２７等から構成されている。カバー本体２１は、前述した本体ケース１１とともに断面矩形状の筒体を構成可能に形成される断面コ字形状に形成されており、その幅広平面部には前述した窓部２１ａが開口している。また、この窓部２１ａの長手方向両端には、前述した取付ネジ１２に対してドライバー工具を差し込み可能な取付穴２１ｄが形成されている。なお、この取付穴２１ｄには、前述したキャップ２９が取り付けられる。
【００４１】
カバー本体２１は、本体ケース１１と同様に、例えば、アルミニウムからなる原材を押出成形によって形成されるもので、前述した本体ケース１１の長さに合わせて任意長に切断（両端部は開放端）されて加工される。このカバー本体２１には、長手方向に延びるリブ２２ａ，２２ｂ，２２ｃ，２２ｄが４箇所に形成されている。またカバー本体２１の短手方向両端のＬ字部分の立ち上がり壁には、後述するサイドカバー３０をネジ２８により組み付けるための貫通孔２１ｂと、当該カバー本体２１を本体ケース１１にネジ１３ａにより組み付けるための貫通孔２１ｃと、が形成されている。
【００４２】
図５(B)に示すように、リブ２２ａ，２２ｂは、窓部２１ａの短手方向両端に長手方向に沿って形成されており、リブ２２ａとリブ２２ｂとの間隔は、後述するグローブ２５の短手方向の長さよりも僅かに大きく設定されている。リブ２２ａは、カバー本体２１の短手方向両端のＬ字部分の立ち上がり壁の一方の内側から、ＬＥＤユニット２３のプリント基板２３ａの厚さ相当の位置に形成されている。またリブ２２ａの高さは、グローブ２５の厚さよりも低い高さに設定されているのに対し、リブ２２ｂは、グローブ２５、導光板２６および反射板２７を積み重ねた厚さ相当の高さに設定されている。リブ２２ａにより、プリント基板２３ａはカバー本体２１の短手方向に対する位置決めが可能となり、またリブ２２ｂにより、後述するように積層されたグローブ２５等のカバー本体２１の短手方向の位置決めが可能となる。
【００４３】
リブ２２ｃは、カバー本体２１の幅広平面部から、ＬＥＤユニット２３のプリント基板２３ａの短手方向長さ相当の位置にカバー本体２１の長手方向に沿って形成されている。また、リブ２２ｃの高さは、プリント基板２３ａの厚さよりも僅かに小さく設定されている。これにより、プリント基板２３ａは、カバー本体２１の高さ方向に対する位置決めが可能となる。リブ２２ｄは、カバー本体２１の短手方向両端のＬ字部分の立ち上がり壁の他方の内側に、リブ２２ｃと同様の位置および高さに形成されている。これにより、リブ２２ｃ，２２ｄは、カバー本体２１とともに断面矩形状の筒体を構成する本体ケース１１の組み付け深さの設定を可能にしている。
【００４４】
図６に示すように、ＬＥＤユニット２３は、短冊状に形成されるプリント基板２３ａとこれにハンダ付けされて実装される複数のＬＥＤ２３ｂ等とから構成されている。本実施形態では、ＬＥＤ２３ｂは面実装タイプであり、プリント基板２３ａに面実装された状態で平らな発光面が正面に向くようにパッケージされている。例えば、３０個のＬＥＤ２３ｂを直列に接続可能にするプリント配線が形成されており、本体ケース１１の電源ユニット１６から供給される駆動電力を受けて点灯する。
【００４５】
ＬＥＤユニット２３は、前述したように、リブ２２ａとリブ２２ｃとの間に位置決めされてカバー本体２１に組み付け固定されている。固定は、例えば、接着テープにより行われる。なお、図６においては、電源ユニット１６からの配線１６ｃは省略されている。５個〜１０個のＬＥＤ２３ｂを直列接続したサブユニットを複数直列に接続してＬＥＤユニット２３を構成しても良い。
【００４６】
グローブ２５は、窓部２１ａをカバー本体２１の内側から閉塞してカバー本体２１とともに灯具１の外観を構成する透光性の板状部材（例えば、透明または半透明の板ガラス）で、窓部２１ａのよりもひと回り大きいサイズの短冊状の矩形状に形成されている。本実施形態では、短手方向の長さが、前述したカバー本体２１のリブ２２ａとリブ２２ｂとの間隔よりも僅かに小さく、また長手方向の長さが対向するサイドカバー３０の間隔よりも僅かに小さくなるように、それぞれ設定されている。なお、透明のグローブ２５の内側または外側に光拡散フィルムを貼付しても良い。
【００４７】
導光板２６は、側端面から入射した光を平面方向に導き得る透光性の板状部材（例えば、アクリル等の合成樹脂板）で、グローブ２５と同様に、窓部２１ａのよりもひと回り大きいサイズの短冊状の矩形状に形成されている。本実施形態では、グローブ２５と同形状、つまりカバー本体２１のリブ２２ａとリブ２２ｂとの間と、対向するサイドカバー３０の間とに収まるように設定されている。なお、ＬＥＤユニット２３から出射される光は、導光板２６の長手側端面２６ａに入射する。
【００４８】
反射板２７は、平面方向で受けた光を反射し得る光反射部材（例えば、ポリエステル等の合成樹脂板）で、グローブ２５や導光板２６と同形状の、窓部２１ａのよりもひと回り大きいサイズの短冊状の矩形状に形成されている。なお、この反射板２７の硬度が低く撓みやすい場合には、この上側（反導光板側）に反射板２７よりも硬度の高い補強板をさらに積層するように構成しても良い。
【００４９】
このように構成されるグローブ２５、導光板２６および反射板２７は、図５(B)に示すように、カバー本体２１の窓部２１ａの側から、グローブ２５、導光板２６、反射板２７の順番に積層され、リブ２２ａとリブ２２ｂとの間に位置決めされて固定されている。この固定は、カバー本体２１の両端部に位置する一対のサイドカバー３０により行われる。なお、図５(A)においては、積層されたグローブ２５、導光板２６および反射板２７のうち、一番上側（反導光板側）の反射板２７だけが表されていることに注意されたい。
【００５０】
なお、図５に示すように、ＬＥＤユニット２３のプリント基板２３ａの表面（ＬＥＤユニット２３の実装面）と、導光板２６の長手側端面２６ａ（図６参照）との間隔Ｓｐは、ＬＥＤユニット２３の一部の表面に被せられるスペーサ２４の板厚とこれから説明するサイドカバー３０の爪部３６の厚さとによって設定されて確保される。次にこのサイドカバー３０について説明する。
【００５１】
ここで、サイドカバー３０について詳述するため、図８および図９も併せて参照する。なお、サイドカバー３０は、カバー本体２１の左右両端に組み付けられて左右で一対をなして左右対称に構成される。このため、ここではそのうちの一方について説明をし他方については説明を省略する。図８には、サイドカバー３０に形成される爪部３６と導光板２６の長手側端面２６ａとの位置関係等を示す説明図が図示されている。また図９には、サイドカバー３０に形成され得る隙間についての説明図やカバー２０を本体部１０に組み付ける前後の押圧関係を示す説明図が図示されている。
【００５２】
図７に示すように、サイドカバー３０は、主に、外装部３１や押圧部３２等から構成されており、例えばアルミダイカストで成形される。外装部３１は、カバー本体２１の両端を閉塞して灯具１の外観を構成するもので、その裏側には押圧部３２が一体に形成されている。外装部３１には、カバー本体２１のリブ２２ａ，２２ｂ，２２ｃ，２２ｄに対応してこれらを避けるリブ用溝３２ａ，３２ｂ，３２ｃ，３２ｄが形成されている。
【００５３】
押圧部３２は、直方体形状のブロック状に形成される基部、押圧板３３、補強板３４、ネジ部３５や爪部３６等により構成されている。基部は、導光板２６の短手側端面２６ｃ，２６ｄが当接することにより導光板２６の長手方向移動を阻止する。本実施形態では、押圧板３３による導光板２６等の押圧や、爪部３６による導光板２６の短手方向の位置決め等も可能にしている。
【００５４】
押圧部３２の基部には、当該サイドカバー３０をカバー本体２１に組み付ける場合にカバー本体２１の貫通孔２１ｂを介してネジ締結するためのネジ孔３５ａのあるネジ部３５と、カバー本体２１に組み付けるとカバー本体２１の取付穴２１ｄに連通可能な貫通孔３２ｇと、が形成されている。
【００５５】
押圧部３２には、本体ケース１１に形成される押圧リブ１５ａ，１５ｂに対応してこれらを避けるリブ用溝３２ｅ，３２ｆが形成されている。また、これらリブ用溝３２ｅ，３２ｆの間には、外装部３１に対してほぼ垂直方向に肉厚の板状形状に突出する押圧板３３が形成され、さらに押圧板３３の長手方向（カバー本体２１の短手方向）に沿って３箇所に直角三角形状の補強板３４が形成されている。
【００５６】
これらのリブ用溝３２ｅ，３２ｆが押圧部３２に形成されることによって、サイドカバー３０が存在することにより押圧部３２に覆われ、本来、押圧することができない範囲についても、押圧リブ１５ａ，１５ｂにより導光板２６等を押圧することが可能となる。これにより、押圧リブ１５ａ，１５ｂによる押圧範囲が導光板２６の長手方向に拡がる。
【００５７】
また、リブ用溝３２ｅ，３２ｆは、図７に示す各図や図５(B)から把握できるように、押圧板３３の下面（補強板３４が形成される上面の裏側）よりも、深く形成されている。これにより、リブ用溝３２ｅ，３２ｆに入る押圧リブ１５ａ，１５ｂは、押圧板３３による押圧範囲を超えて導光板２６等を押圧することができる。このため、押圧板３３による押圧後にさらに押圧リブ１５により押圧する、といった導光板２６等の段階的な押圧が可能となる。
【００５８】
押圧板３３の裏側には、図７(C)に示すように、シリコンゴム、ウレタンゴムやスポンジ等からなるクッション材３７が貼付されている。また、導光板２６の短手側端面２６ｃ，２６ｄが当接し得る押圧板３３の裏側に位置する基部の部分には、クッション材３７と同様のクッション材３８が貼付されている。これにより、導光板２６の短手側端面２６ｃ，２６ｄは、いずれもクッション材３７を介して押圧板３３に押圧されることから、押圧板３３や導光板２６に寸法誤差があったとしても、クッション材３７が介在する分、誤差を吸収することが可能となる。また、導光板２６の長さに誤差があったり、導光板２６の長手方向の位置ずれが押圧部３２の基部にあってとしても、導光板２６の短手側端面２６ｃ，２６ｄは、クッション材３８を介して基部に当接するため、このような誤差や位置ずれをクッション材３８により吸収することが可能となる。
【００５９】
図７および図８に示すように、押圧部３２のリブ用溝３２ｆが形成される側のネジ部３５の下方には、平板形状に形成される爪部３６が、押圧板３３の突出方向に形成されている。この爪部３６は、サイドカバー３０をカバー本体２１に組み付けたときに、カバー本体２１のリブ２２ａとリブ２２ｃとの間に入り込み、かつ導光板２６の長手側端面２６ａに当接し得るように、その板厚や形状が設定されている。これにより、サイドカバー３０がカバー本体２１に組み付けられると、導光板２６の短手方向の移動が阻止されるため、外部から振動や衝撃を受けても、カバー本体２１に接着テープ等により固定されているＬＥＤユニット２３に対しては、導光板２６の短手方向の離隔距離が変わることなく、両者の間隔Ｓｐを一定に保つことが可能となる。
【００６０】
図８に示すように、本実施形態では、ＬＥＤユニット２３のＬＥＤ２３ｂと導光板２６の長手側端面２６ａとは、ほぼ接触し得る程度の微小間隔を隔てて両者が位置するように設定されている。なお、ＬＥＤユニット２３は長尺であることから、端部から離れた中間部分やその他の位置においては、スペーサ２４により同様の離隔距離を保持可能にしている。このように本実施形態では、導光板２６の端部をサイドカバー３０の押圧部３２により短手方向に押圧するとともに、サイドカバー３０の爪部３６により導光板２６の短手方向の位置決めとその移動を阻止可能にしている。
【００６１】
図６に示すように、ＬＥＤユニット２３、グローブ２５、導光板２６および反射板２７が取り付けられたカバー本体２１の両端に、このようなサイドカバー３０をネジ２８によるネジ締結により組み付けて固定することで、導光板２６の短手方向および長手方向の位置決めされ、グローブ２５、導光板２６および反射板２７が仮止めされる。つまり、図５(A)に示すようなカバー２０が組み上がる。
【００６２】
本実施形態では、前述したように、カバー本体２１を押出成形により形成していることから、カバー本体２１の長手方向に延びるリブ２２ａ等は容易に形成できても、短手方向に延びるリブやパーティションを形成することは難しい。このため、例えば、サイドカバー３０の外装部３１との間に隙間ができる場合には、内部の光がこの隙間から外部に漏れてしまう可能性がある。そこで、例えば、図９(A)に示すように、外装部３１とカバー本体２１との間に遮光材３９（同図に示す太線部分）を介在させることにより、サイドカバー３０の外装部３１とカバー本体２１との間の隙間を塞ぐ。
【００６３】
例えば、遮光布（不織布）や遮光フィルムをテープ状に細長く裁断したものを遮光材３９として、カバー本体２１の端部内側や外装部３１の外側周囲の該当範囲に貼付する。これにより、このような隙間から照明光が漏れることを防ぐことが可能となる。なお、カバー本体２１を押出成形により形成することなく、例えば、樹脂材による射出成形で形成する場合であっても、振動や衝撃により隙間ができ得るため、予めこのような遮光材３９を該当箇所に介在させることが望ましい。
【００６４】
図３に示すような電源ユニット１６や電源コード１８等が取り付けられた本体部１０に対して、図５(B)に示すカバー２０をネジ１３ａによるネジ締結により組み付けて固定し、さらにキャップ２９をカバー本体２１に取り付けることで（図２参照）、図１に示すような灯具１が完成する。
【００６５】
このように本体部１０にカバー２０を組み付けることによって、図９(B)に示すように、仮止め状態にあったグローブ２５、導光板２６等は、本体ケース１１の２本の押圧リブ１５ａ，１５ｂにより長手方向にも押圧される。このとき、図９(C)に示すように、サイドカバー３０のリブ用溝３２ｅ，３２ｆには、導光板２６等を押圧する押圧リブ１５ａ，１５ｂが入り込み、押圧板３３による押圧範囲を超えて導光板２６等を押圧する。また、リブ用溝３２ｅ，３２ｆに押圧リブ１５ａ，１５ｂが入り込むことで、本来は押圧部３２に覆われて押圧することができない範囲も、押圧リブ１５ａ，１５ｂの両端部によって押圧される。これにより、導光板２６を長手方向にほぼ全域に亘って押圧することが可能となり、本固定状態になる。なお、図９(C)において、符号１６’で示す二点鎖線の範囲は、電源ユニット１６を構成する電子部品の実装範囲を表す。
【００６６】
以上説明したように、本実施形態に係る灯具１によると、一対のサイドカバー３０は、カバー本体２１の開放端を塞ぎかつ導光板２６の短手側端面２６ｃ，２６ｄの辺方向に沿って反射板２７の裏面から導光板２６と反射板２７の両端部をそれぞれ窓部２１ａ方向に押圧する押圧部３２（押圧板３３）を備え、本体ケース１１は、反射板２７の裏面から導光板２６の長手側端面２６ａ，２６ｂの辺方向に沿って導光板２６を反射板２７とともに窓部２１ａ方向に押圧する押圧リブ１５ａ，１５ｂを備える。このため、導光板２６および反射板２７の短手方向の辺方向の端部は押圧部３２により、また長手方向の端部は押圧リブ１５ａ，１５ｂにより、それぞれ窓部２１ａに向けて押圧されることから、外部から振動や衝撃が加わったとしても、導光板２６がその厚さ方向に位置が移動したり撓んだりし難い。これにより、導光板２６の長手側端面２６ａとＬＥＤユニット２３のＬＥＤ２３ｂとの位置にずれが生じ難くなるため、耐振動性を向上させることが可能となる。したがって、鉄道や自動車あるいは航空機、船舶等といった移動体の室内照明に適した灯具１を提供することができる。
【００６７】
また、本実施形態に係る灯具１によると、導光板２６は、長手側端面２６ａ，２６ｂの方向と短手側端面２６ｃ，２６ｄの方向を有する長尺形状であり、短手方向の端部は押圧部３２（押圧板３３）により、また長手方向の端部は押圧リブ１５ａ，１５ｂにより、それぞれ窓部２１ａ方向に向けて押圧される。このため、導光板２６が、撓みやすい長尺形状であっても、導光板２６の長手方向の長手側端面２６ａと、それに入射可能に配置されるＬＥＤユニット２３の複数のＬＥＤ２３ｂとの位置にずれが生じ難くなるため、耐振動性を向上させることが可能となる。
【００６８】
さらに、本実施形態に係る灯具１によると、ＬＥＤ２３ｂの発光面と導光板２６の長手側端面２６ａとの間隔Ｓｐがサイドカバー３０の爪部３６やスペーサ２４により設定されて固定されることから、導光板２６の厚さ方向に加えて、ＬＥＤ２３ｂとの離隔間隔Ｓｐについても位置ずれが生じ難くなる。これにより、耐振動性をさらに向上させることが可能となる。
【００６９】
また、本実施形態に係る灯具１によると、サイドカバー３０のリブ用溝３２ｅ，３２ｆに押圧リブ１５ａ,１５ｂが侵入できることから、導光板２６のうちサイドカバー３０によって覆われる範囲についても、押圧リブ１５ａ，１５ｂにより押圧される。このため、押圧リブ１５ａ，１５ｂによる押圧範囲が拡がるため、さらに耐振動性を向上させることが可能となる。また、このようなリブ用溝３２ｅ，３２ｆに浸入した押圧リブ１５ａ,１５ｂは、押圧部３２（押圧板３３）による押圧範囲を超えて導光板２６を押圧することから、導光板２６は、押圧部３２により押圧された後に押圧リブ１５ａ，１５ｂにより押圧され、導光板２６の段階的な押圧が可能となる。
【００７０】
なお、図１０(A)に示すように、外装部３１’にサイドスリット３１ｓ，３２ｓを設けたサイドカバー３０’を、カバー２０の両端部に組み付けることによって、導光板２６の平面方向（窓部２１ａの方向）に加えて導光板２６の短手側端面２６ｃ，２６ｄからもサイドスリット３１ｓを介して照明光を外部に出射させることができる。この場合、サイドスリット３１ｓが形成される外装部３１’の内側には、サイドスリット３１ｓの内側開口部を覆う図略のグローブを押圧部３２’に取り付ける。
【００７１】
また、図１０(B)に示すように、カバー本体２１’のリブ２２ｂにスリット２２ｓを設け、またカバー本体２１’の立ち上がり壁にスリット２１ｓを設け、さらにグローブ２５ｓを設けることによって、ＬＥＤユニット２３からの光が入射する導光板２６の長手側端面２６ａに対向する長手側端面２６ｂからも、２つのスリット２１ｓ，２２ｓを介して照明光を外部に出射させることができる。
【００７２】
図１０(C)に示すように、このようなサイドカバー３０’のサイドスリット３１ｓやカバー２０’のスリット２１ｓを備えた灯具１’から出る照明光は、例えば、間接照明にも好適な照明光としても使用することができる。なお、間接照明だけに用いる場合には、カバー本体２１の窓部２１ａとそれを覆うグローブ２５を省略した構成にする。
【００７３】
また、図１０(D)に示すように、２つのＬＥＤユニット２３を対向させて、導光板２６の長手側端面２６ｂ（図６参照）からも照明光源としてＬＥＤユニット２３の光が入射するように構成する。具体的には、リブ２２ａとリブ２２ｃとの間に導光板２６の長手側端面２６ａに向けて取り付けられるＬＥＤユニット２３と同様に、導光板２６の長手側端面２６ｂにＬＥＤユニット２３のＬＥＤ２３ｂを向く位置に位置決めして取り付けられるように、リブ２２ｃに相当するリブ２２ｂ’をリブ２２ｂに設けるとともに、リブ２２ａに相当するリブ２２ｂ”を設けて、リブ２２ｂ’，２２”の間にもう一つのＬＥＤユニット２３を取り付ける。また、押圧部３２の爪部３６と同様に、このＬＥＤユニット２３に対しても導光板２６の長手側端面２６ｂとの間隔を設定可能な爪部３６’を押圧部３２に設け、さらにＬＥＤユニット２３と長手側端面２６ｂとの間にスペーサ２４を介在させる。
【００７４】
このようなカバー本体２１”により構成されるカバー２０”を備える灯具１”は、導光板２６に入射する照明光源の光量が増えるため、導光板２６から出射される照明光をより明るくすることができる。なお、図示されていないが、サイドカバー３０の内側にＬＥＤユニットを設けて導光板２６の短手側端面２６ｃ，２６ｄからも照明光源としてＬＥＤユニット２３の光が入射するように構成しても良い。照明光源の光量がさらに増えるため、より一段と明るい灯具を提供することができる。
【００７５】
なお、本体ケース１１、カバー本体２１やサイドカバー３０は、いずれも金属製に限られず、プラスチック等の樹脂成形品であっても良い。
【００７６】
また、上述した実施形態では、押圧リブ１５（１５ａ，１５ｂ）を本体ケース１１の長手方向に直線状に延びるように構成したが、導光板２６等を押圧できる構成であれば、例えば、三角波形のように斜めに延びるものでも良い。また、連続した線状に限らず、不連続な線や点、あるいは円形、矩形や多角形の点在により構成しても良い。
【符号の説明】
【００７７】
１，１’，１”…灯具
１０…本体部
１１…本体ケース（筐体）
１５…押圧リブ（第２の押圧部）
２０，２０’，２０”…カバー（筐体、カバー部）
２１，２１’，２１”…カバー本体（筐体、カバー胴部）
２１ａ…窓部
２１ｓ，３１ｓ…スリット（他の窓部）
２３…ＬＥＤユニット
２３ｂ…ＬＥＤ（発光素子）
２５…グローブ
２６…導光板
２６ａ…長手側端面（側端面）
２６ｂ…長手側端面（他の側端面）
２６ｃ、…短手側端面（他の側端面）
２７…反射板
３０，３０’…サイドカバー（カバー端部）
３０ａ…サイドスリット（他の窓部）
３１…外装部
３２…押圧部（第１の押圧部）
３２ｅ、３２ｆ…リブ用溝（隙間部）
３３…押圧板（第１の押圧部）
３６，３６’…爪部（隙間設定部）
３７…クッション材（弾性部材）
３９…遮光材
１００…天井
Ｓｐ…間隔
【図１】
0005942100.tif 000002
【図２】
0005942100.tif 000003
【図３】
0005942100.tif 000004
【図４】
0005942100.tif 000005
【図５】
0005942100.tif 000006
【図６】
0005942100.tif 000007
【図７】
0005942100.tif 000008
【図８】
0005942100.tif 000009
【図９】
0005942100.tif 000010
【図１０】
0005942100.tif 000011
【図１１】
0005942100.tif 000012